(57)【特許請求の範囲】
【請求項１】
先端工具の駆動に用いられる機能部品が、長軸方向の一端側と他端側とのそれぞれに配置された工具ハウジングと、
前記工具ハウジングに収容されたモータと、を備え、
前記モータにより前記先端工具を駆動させ、これにより先端工具に所定の加工作業を遂行させる電動工具であって、
前記工具ハウジングは、長軸方向の一端側と他端側間の中間領域にブラシホルダ収容空間を有し、
前記モータは、前記工具ハウジングの長軸方向と交差する方向から前記ブラシホルダ収容空間に差し込んで装着されるブラシホルダを有し、
前記ブラシホルダは、ブラシを収容する筒部を有するとともに、当該筒部に隣接して被押圧部を一体に備えており、
前記ブラシホルダには、当該ブラシホルダが前記ブラシホルダ収容空間に差し込まれた際、前記筒部に収容されたブラシを前記モータの整流子に押付けるように作用するバネが取付けられ、
前記工具ハウジングは、当該工具ハウジングの長軸方向の一端側に取り付けられるカバーを有し、
前記カバーは、一端が開口された中空状に形成されて当該開口に連なる前記工具ハウジング長軸方向の内部空間を有するとともに、前記内部空間には前記開口側から前記工具ハウジングの長軸方向に延在する突条部を有し、前記工具ハウジングの長軸方向に沿って当該工具ハウジングの一端部外面及び中間領域外面に前記開口から被さり、これにより前記一端部外面及び中間領域外面が内部空間に収容される構成とされ、
前記突条部は、前記ブラシホルダ収容空間に差し込まれた前記ブラシホルダの被押圧部に当接して当該ブラシホルダを前記工具ハウジングの長軸方向と交差する差し込み方向へと押圧する構成とし、
前記ブラシホルダ収容空間と前記ブラシホルダの一方には突起が設けられ、他方には前記突起と係合する凹部が設けられており、前記ブラシホルダが前記ブラシホルダ収容空間に差し込まれた際、前記突起と前記凹部が係合して前記ブラシホルダが前記ブラシホルダ収容空間に保持される構成であり、
前記突起と前記凹部の係合方向は、前記ブラシホルダの前記ブラシホルダ収容空間への差し込み方向と交差する方向に設定されており、これにより前記ブラシホルダは、前記ブラシホルダ収容空間に差し込まれた状態において前記バネが前記ブラシを前記整流子に押付けることで生ずる反力に抗して前記ブラシホルダ収容空間に保持されることを特徴とする電動工具。
【請求項２】
請求項１に記載の電動工具であって、
前記被押圧部は、前記カバーが前記工具ハウジングの一端部外面及び中間領域外面に被さるように装着される際、前記カバーの突条部が当接するように誘導する変形可能なテーパ状の誘導部を有することを特徴とする電動工具。
【発明の詳細な説明】
【技術分野】
【０００１】
本発明は、先端工具を駆動するモータを備えた電動工具に関し、詳しくはブラシホルダの固定技術に関する。
【背景技術】
【０００２】
実開平７−２７２７４号公報（特許文献１）には、電動工具におけるブラシホルダの固定技術が開示されている。上記公報に記載のブラシホルダ固定構造は、工具本体を構成するモータハウジングの長軸方向の後端部に形成された対向する補強板間に長軸方向からブラシホルダを差し込んでセットし、その後、モータハウジングの後端部にカバーを長軸方向から被せて装着する際、当該カバーに設けたピンによってブラシホルダを長軸方向から押さえ込むことによって固定する構成である。また、複数のブラシホルダのうち、１つのブラシホルダについては、カバーに設けたリブを利用してブラシホルダを整流子側に向って押し込んで固定する構成としている。
【０００３】
上記のブラシホルダ固定構造は、モータハウジングの長軸方向の後端部に、当該長軸方向に沿って延びる補強板を対向状に設け、この補強板間に形成される溝にブラシホルダをモータハウジングの長軸方向から差し込んで装着する構成としている。このため、モータハウジングの端部領域が開放された構成、すなわちモータハウジングの端部領域に当該ブラシホルダのモータハウジング長軸方向からの装着を妨害するような機能部品が存在しない構成において有効である。
しかしながら、モータハウジングの端部にブラシホルダの長軸方向装着を妨害するような機能部品が存在するような構成の場合、つまりブラシホルダをモータハウジングの端部よりも長軸方向内方に入り込んだ中間領域に装着しようとすると、公報に記載されたようなブラシホルダの装着方式は適用し難いものであり、この点でなお改良の余地がある。
【特許文献１】実開平７−２７２７４号公報
【発明の開示】
【発明が解決しようとする課題】
【０００４】
本発明は、電動工具において、工具ハウジングの端部領域から長軸方向の内方に入り込んだ中間領域にブラシホルダを装着することが可能で、かつ当該中間領域にブラシホルダを安定に固定することを可能とした技術を提供することを目的とする。
【課題を解決するための手段】
【０００５】
上記課題を達成するため、本発明に係る電動工具の好ましい形態は、先端工具の駆動に用いられる機能部品が、長軸方向の一端側と他端側とのそれぞれに配置された工具ハウジングと、工具ハウジングに収容されたモータと、を備え、モータにより先端工具を駆動させ、これにより先端工具に所定の加工作業を遂行させる構成とされる。なお、本発明における「一端側に配置される機能部品」としては、典型的にはモータを起動または停止するための電源スイッチ、及び当該電源スイッチを操作する操作レバー（ノブ）、またモータ側端子あるいはブラシと接続可能なスイッチ側端子等が組み込まれたスイッチ配線機構部がこれに該当し、また「他端側に配置される機能部品」としては、典型的には先端工具にモータの回転出力を伝達する動力伝達機構がこれに該当する。また、本発明における「電動工具」は、典型的には、研削作業や研磨作業に用いられるディスクグラインダのようなモータを駆動源とする電動工具がこれに該当する。
【０００６】
本発明の好ましい形態によれば、工具ハウジングは、当該工具ハウジングの長軸方向の一端側と他端側間の中間領域にブラシホルダ収容空間を有する。モータは、工具ハウジングの長軸方向と交差する方向、すなわち径方向外側からブラシホルダ収容空間に差し込んで装着されるブラシホルダを有する。ブラシホルダは、ブラシを収容する筒部を有するとともに、当該筒部に隣接して被押圧部を一体に備えている。ブラシホルダには、当該ブラシホルダがブラシホルダ収容空間に差し込まれた際、筒部に収容されたブラシをモータの整流子に押付けるように作用するバネが取付けられている。また工具ハウジングは、当該工具ハウジングの長軸方向の一端側に取り付けられるカバーを有する。カバーは、一端が開口された中空状に形成されて当該開口に連なる工具ハウジング長軸方向の内部空間を有するとともに、内部空間には開口側から工具ハウジングの長軸方向に延在する突条部を有しており、工具ハウジングの長軸方向に沿って当該工具ハウジングの一端部外面及び中間領域外面に開口から被さり、これにより工具ハウジングの一端部外面及び中間領域外面が内部空間に収容される構成とされる。そして、内部空間の突条部は、カバーが工具ハウジングの一端部外面及び中間領域外面に被さる際、ブラシホルダ収容空間に差し込まれたブラシホルダの被押圧部に当接して当該ブラシホルダを差し込み方向、すなわち工具ハウジングの長軸方向と交差する方向（径方向）に押圧する構成とした。なお、本発明における「筒部に隣接」とは、筒部の外側面に直接に配置される態様、あるいは筒部周辺に配置される態様のいずれも好適に包含する。
【０００７】
本発明の好ましい形態によれば、ブラシホルダを工具ハウジングの長軸方向と交差する方向、すなわち径方向の外径側から内径側へと差し込んで当該工具ハウジングに装着する構成としたので、工具ハウジングの長軸方向における各端部間の中間領域、すなわち工具ハウジングの一端部から内方に入り込んだ領域のブラシホルダ収容空間にブラシホルダを装着することが可能となった。これにより工具ハウジングの長軸方向の一端側に、例えばスイッチ配線機構部が配置され、他端側に動力伝達機構等が配置されている構成の電動工具において、工具ハウジングに対するブラシホルダの組み付けを合理的に実現できる。
そして工具ハウジングのブラシホルダ収容空間に差し込まれたブラシホルダは、被押圧部を備え、当該押圧部が工具ハウジングの一端に長軸方向から装着されるカバーの突条部によって差し込み方向に押圧される構成としている。ブラシホルダは、一般に当該ブラシホルダの筒部に収容されたブラシを整流子に向って押し付けるブラシ付勢バネを有している。このため、ブラシホルダには常時に差し込み方向と反対方向、すなわち抜け方向に付勢バネの付勢力が作用しているが、本発明によれば、ブラシホルダの被押圧部をカバーの突条部により差し込み方向に押圧する構成のため、ブラシホルダをブラシホルダ収容空間に安定に固定することが可能となる。
【０００８】
また、本発明によれば、ブラシホルダ収容空間とブラシホルダの一方には突起が設けられ、他方には前記突起と係合する凹部が設けられており、ブラシホルダがブラシホルダ収容空間に差し込まれた際、突起と凹部が係合してブラシホルダがブラシホルダ収容空間に保持される構成である。また、突起と凹部の係合方向は、ブラシホルダのブラシホルダ収容空間への差し込み方向と交差する方向に設定されており、これによりブラシホルダは、ブラシホルダ収容空間に差し込まれた状態においてバネがブラシを整流子に押付けることで生ずる反力に抗してブラシホルダ収容空間に保持される構成とした。上述したように、ブラシホルダ収容空間に差し込まれた状態のブラシホルダには、ブラシを整流子に向って押し付けるブラシ付勢バネの付勢力が差し込み方向と反対方向、すなわち抜け方向に作用している。本発明によれば、ブラシホルダ収容空間に差し込まれたブラシホルダを突起と凹部との係合によって当該ブラシホルダ収容空間に保持できるため、工具ハウジングにカバーを組み付ける際、作業者が手指によりブラシホルダをブラシホルダ収容空間に保持する作業が不要となり、ブラシホルダ及びカバーの組付け作業性を向上することができる。
【０００９】
本発明に係る電動工具の更なる形態によれば、被押圧部は、カバーが工具ハウジングの長軸方向の一端部外面及び中間領域外面に被さるように装着される際、カバーの突条部が当接するように誘導する変形可能なテーパ状の誘導部を有する。本発明によれば、被押圧部にテーパ状の誘導部を設けたことにより、カバーを工具ハウジングの長軸方向一端部外面及び中間領域外面に装着する際、カバーの突条部を被押圧部に確実に当接させることが可能となる。
【発明の効果】
【００１０】
本発明によれば、電動工具において、工具ハウジングの端部領域から長軸方向の内方に入り込んだ中間領域にブラシホルダを装着することが可能で、かつ当該中間領域にブラシホルダを安定に固定することを可能とした技術が提供されることとなった。
【発明を実施するための最良の形態】
【００１１】
以下、本発明の実施形態につき、図１〜図１５を参照しつつ、詳細に説明する。本実施の形態は、電動工具の一例として、金属、コンクリート、石材等の各種被加工材の研削作業あるいは研磨作業に用いられる手持ち式の電動ディスクグラインダを用いて説明する。図１には電動ディスクグラインダ１０１の全体構成が外観図によって示され、図２には電動ディスクグラインダ１０１の全体構成が断面図によって示され、更に図３には電動ディスクグラインダ１０１の全体構成が分解断面図によって示されている。また、図４は図２のＡ部拡大図、図５は図３のＢ部拡大図であり、図６はリアカバーを示す斜視図である。
【００１２】
図１〜図３に示すように、電動ディスクグラインダ１０１は、概括的に見て、電動ディスクグラインダ１０１の外郭を形成する本体部１０３と、本体部１０３の先端領域に配置される砥石１１９とを主体として構成される。本体部１０３は、モータハウジング１０５、ギアハウジング１０７及びリアカバー１０９を主体として構成される。本体部１０３は本発明における「工具ハウジング」に対応し、砥石１１９は本発明における「先端工具」に対応する。なお、説明の便宜上、本体部１０３の長軸方向につき、砥石１１９側を前、その反対側を後という。
【００１３】
モータハウジング１０５は概ね円筒形状に形成され、当該モータハウジング１０５の内部空間には駆動モータ１２１が収容されている。駆動モータ１２１は、本発明における「モータ」に対応する。駆動モータ１２１は、その回転軸線方向電動がディスクグラインダ１０１の長軸方向、すなわち本体部１０３の長軸方向となるように配置されている。なお、モータハウジング１０５は、電動ディスクグラインダ１０１を操作して加工作業を行う際の、作業者が片手で握るグリップ部を構成している。
【００１４】
図２及び図３に示すように、モータハウジング１０５の前端部に連接されるギアハウジング１０７内には、駆動モータ１２１の回転出力を砥石１１９に伝達する動力伝達機構１１１が収容されている。動力伝達機構１１１は、駆動モータ１２１によって回転駆動される駆動側ギアとしての小ベベルギア１１３、小ベベルギア１１３と噛み合い係合する被動側ギアとしての大ベベルギア１１５、及び大ベベルギア１１５と共に回転するスピンドル１１７を主体として構成され、スピンドル１１７の先端部に砥石１１９が着脱自在に装着される。砥石１１９は、モータハウジング１０５の長軸方向（本体部１０３の長軸方向）の一端側（前側）において、その回転軸線が駆動モータ１２１の回転軸線に対して直交するように配置される。
【００１５】
本実施の形態における駆動モータ１２１は、電源コードを用いて電源（コンセント）から供給される電力によって駆動される。駆動モータ１２１は出力軸１２３、出力軸１２３と一体に回転する冷却ファン１２４、出力軸１２３と一体に回転する電機子１２５、モータハウジング１０５に固定される固定子１２７、出力軸１２３の後端側（冷却ファン１２４の反対側）に設けられた整流子１２９、整流子１２９の外周面に摺接して電流を供給する２個のブラシ１３３、ブラシ１３３を収容する２つのブラシホルダ１３１を主体として構成される。出力軸１２３は前端部が前側の軸受１２６により支持され、後端部が後側の軸受１２８により支持されて回転自在とされる。なお、出力軸１２３、電機子１２５、整流子１２９によって回転子が構成されている。
【００１６】
モータハウジング１０５の後端には、リアハウジング１０６が連接されている。リアハウジング１０６は、図２及び図３に示すように、長軸方向の前端部がモータハウジング１０５の後端開口部に嵌入された状態で、当該モータハウジング１０５及び固定子１２７を長軸方向に貫通して延在する複数の取付ネジ１０５ａによって共締めされている。リアハウジング１０６は、整流子１２９及び後側の軸受１２８を覆うように配置されており、当該リアハウジング１０６の後方には、スイッチ配線機構部１５１が取り付けられている。このスイッチ配線機構部１５１は、非導電性の合成樹脂からなるスイッチブロック１５３に、モータ駆動用の電源スイッチ（便宜上図示を省略する）、当該電源スイッチをオン・オフ操作するための操作レバー１５５（図１参照）、また便宜上図示を省略するが、外部電源から電流を供給する電源コードと接続される端子、モータ側端子と接続される端子、ブラシ１３３と接続される端子等が組み込まれることで構成される。なお、本実施の形態では、モータハウジング１０５に対する駆動モータ１２１の組付け性を考慮してリアハウジング１０６をモータハウジング１０５と別体で形成しているが、一体に形成しても構わない。
【００１７】
本実施の形態に係る２個のブラシホルダ１３１は、リアハウジング１０６に取り付けられる。なお、リアハウジング１０６は非導電性の合成樹脂によって形成されている。以下、ブラシホルダ１３１の構造及びその取り付け構造につき、主として図７〜図１５を参照して説明する。図７〜図９にはブラシホルダの全体構成が示され、図１０にはブラシホルダ１３１が装着される前の状態のブラシホルダ収容部が斜視図で示され、図１１には図１０のＣ部が拡大して示される。図１２にはブラシホルダ収容部にブラシホルダが差し込まれる過程が示され、図１３には図１２のＤ矢印方向から見た状態が示される。また図１４にはブラシホルダ収容部にブラシホルダが差し込まれた状態が示され、図１５には図１４のＥ矢印方向から見た状態が示される。
【００１８】
上記のように、リアハウジング１０６の後方にスイッチブロック１５３が配置される構成においては、ブラシホルダ１３１をリアハウジング１０６の後方から長軸方向に沿うように差し込んで装着することが難しい。このことから、本実施の形態では、ブラシホルダ１３１をリアハウジング１０６の長軸方向と交差する方向から差し込んでリアハウジング１０６に装着する構成としている。このために、リアハウジング１０６には外側に向って開放する径方向に凹状のブラシホルダ収容部１４１が形成されている。ブラシホルダ収容部１４１は、本発明における「ブラシホルダ収容空間」に対応する。ブラシホルダ収容部１４１は、図３に示すように、整流子１２９と対向する領域に周方向に所定間隔（本実施の形態では１８０度）で２個設定されている。リアハウジング１０６における整流子１２９と対向する領域は、本発明における「中間領域」に対応する。
【００１９】
各ブラシホルダ１３１は、図３に示すようにリアハウジング１０６の長軸方向と交差する方向、すなわち径方向からブラシホルダ収容部１４１内に差し込まれて装着される。図７〜図９にはブラシホルダ１３１の全体構成が示される。ブラシホルダ１３１は、導電性の金属板を加工することで所定形状に形成されている。ブラシホルダ１３１にはブラシ１３３を収容するための断面略矩形の筒部１３２が一体に形成されている。筒部１３２はブラシホルダ１３１の差し込み方向に延在しており、図４に示すように、ブラシホルダ１３１がブラシホルダ収容部１４１に差し込まれた状態では、筒孔がブラシホルダ収容部１４１の内壁面に形成された開口１４１ａに臨むように配置される。筒部１３２にはブラシ１３３が摺動自在に収容されており、当該ブラシ１３３は開口１４１ａを通して整流子１２９の外周面に径方向から略直角状に当接されるとともに、ブラシホルダ１３１に取り付けられた渦巻きバネ１３４によって整流子１２９の外周面に摺接可能に押付けられる。渦巻きバネ１３４はブラシ付勢バネであり、一端がブラシホルダ１３１の係止片１３１ａに止着され、他端がブラシホルダ差し込み方向から見て、ブラシ１３３背面を整流子１２９に向って付勢する。
【００２０】
また、ブラシホルダ１３１は、筒部１３２の筒孔方向と交差する方向（ハウジング長軸方向）の一端側には、互いに対向状に形成された２つの差込片１３５ａ，１３５ｂを一体に備えている。一方（図７及び図８の上側）の差込片１３５ａは、差し込み方向から見て略逆Ｕ形に形成され、他方の（図７及び図８の下側）の差込片１３５ｂは、差し込み方向から略Ｌ形に形成されている。これら２つの差込片１３５ａ，１３５ｂを、図１０及び図１１に示されるブラシホルダ収容部１４１に形成された対応する形状のスリット１４２ａ，１４２ｂに差し込むことによってブラシホルダ１３１がブラシホルダ収容部１４１の所定位置に配置される。各スリット１４２ａ，１４２ｂは、ブラシホルダ収容部１４１内において、所定間隔で対向状に形成される複数の板状部材１４３によって形成されている。
【００２１】
また、各差込片１３５ａ，１３５ｂには、半球面状の突部１３７が一体に形成されている（図１３参照）。差込片１３５ａ，１３５ｂがスリット１４２ａ，１４２ｂに差し込まれた際、突部１３７が板状部材１４３に形成された半球面状の凹部（あるいは溝）１４４（図１１及び図１３参照）に係合し、これによりブラシホルダ１３１はブラシホルダ収容部１４１の所定位置に保持される（図１４、及び図１５参照）。ブラシホルダ１３１がブラシホルダ収容部１４１に差し込まれ、ブラシ１３３が整流子１２９の外周面に押し付けられるとき、当該ブラシホルダ１３１にはブラシ１３３を整流子１２９に押し付けるべく付勢する渦巻きバネ１３４の付勢力が、差し込み方向と反対方向、すなわち抜け方向に反力として作用する。しかるに、上記の突部１３７と凹部１４４との係合により、ブラシホルダ１３１に作用する反力に抗して当該ブラシホルダ１３１を所定位置に保持することが可能とされる。
【００２２】
また、ブラシホルダ収容部１４１に配置されたブラシホルダ１３１は、リアハウジング１０６に被さるように装着されるリアカバー１０９によって差し込み方向の背面側から押圧されて固定される構成とされる（図４参照）。リアカバー１０９は、本発明における「カバー」に対応する。リアカバー１０９は合成樹脂製であり、図６に示すように、一端（前端）が開口された略円筒状に形成され、その筒孔内壁面１０９ａに長軸方向に延在する２個のリブ１４５が周方向に１８０度間隔で一体に形成されている。リブ１４５は補強部材としても機能する。筒孔は本発明における「内部空間」に対応し、リブ１４５は本発明における「突条部」に対応する。リアカバー１０９はリアハウジング１０６の長軸方向から当該リアハウジング１０６に被せるように装着する際、リブ１４５が各ブラシホルダ１３１に形成された突片１３９を差し込み方向の背面側から押圧する（図４及び図９の二点鎖線参照）。これによりブラシホルダ１３１は、ブラシホルダ収容部１４１に抜け止めされた状態でしっかりと固定される。突片１３９は本発明における「被押圧部」に対応する。突片１３９は筒部１３２に隣接する１つの差込片１３５ａの差し込み方向背面側に一体に形成されている。
【００２３】
また突片１３９は、リアカバー１０９の被せ方向に（装着方向）に対して傾斜状に突出され、かつ変形可能とされている。これにより、リブ１４５の端部が突片１３９に当接するように誘導する。突片１３９が傾斜状に突出されることで本発明における「テーパ状の誘導部」が構成される。
【００２４】
なお、リアハウジング１０６に被せられたリアカバー１０９は、その開口端部がリアハウジング１０６の前端外周に嵌合され、当該嵌合状態で止着ネジ１４７によってリアハウジング１０６に止着される（図２参照）。かくして、リアハウジング１０６、ブラシホルダ１３１及びスイッチブロック１５３は、リアカバー１０９に収容される。なお、スイッチブロック１５３に組み付けられた操作レバー１５５は、図１に示すように、リアカバー１０９の後端部に形成された開口（便宜上図示を省略する）から外部に突出され、作業者による操作が可能とされる。従って、作業者は、モータハウジング１０５を把持するとともに、操作レバー１５５の操作を介して駆動モータ１２１を通電駆動することにより、動力伝達機構１１１を介して砥石１１９を回転駆動し、被加工材の研削や研磨作業あるいは切断作業を適宜に行うことができる。
【００２５】
本実施の形態においては、ブラシホルダ１３１を、リアハウジング１０６の長軸方向、すなわち本体部１０３の長軸方向と交差する方向からリアハウジング１０６のブラシホルダ収容部１４１に差し込んで装着する構成としている。このため、リアハウジング１０６の後端部にスイッチ配線機構部１５１が配置され、ブラシホルダ１３１をリアハウジング１０６の後方から前方に向って装着することが妨げられるようなハウジング構造において、リアハウジング１０６の長軸方向中間領域にブラシホルダ１３１を合理的に組み付けることが可能となる。
【００２６】
本実施の形態によれば、リアハウジング１０６に長軸方向から装着されるリアカバー１０９のリブ１４５が、ブラシホルダ１３１の突片１３９に当接し、これをブラシホルダ１３１の差し込み方向へと押圧して固定する構成としている。このため、ブラシホルダ１３１をブラシホルダ収容部１４１に抜け止めされた状態で安定に固定することができる。また突片１３９は、リアカバー１０９の装着方向に対して傾斜状に突出され、かつ変形可能とすることで、リブ１４５と突片１３９間の差し込み方向に関し相対位置にバラツキがあっても当該バラツキを吸収しつつ装着可能となる。
【００２７】
また本実施の形態では、ブラシホルダ１３１の差込片１３５ａ，１３５ｂが、ブラシホルダ収容部１４１のスリット１４２ａ，１４２ｂを形成する板状部材１４３に案内されつつ当該スリット１４２ａ，１４２ｂに差し込まれるため、ブラシホルダ１３１のブラシホルダ収容部１４１に対する差し込み作業を容易に行うことができる。
【００２８】
また、ブラシホルダ１３１がブラシホルダ収容部１４１に差し込まれると、差込片１３５ａ，１３５ｂに設けた突部１３７がブラシホルダ収容部１４１側の凹部１４４に係合する。これによりブラシホルダ１３１はブラシ１３３を付勢する渦巻きバネ１３４の付勢力に抗して所定位置に保持される。従って、リアカバー１０９をリアハウジング１０６に取り付ける際、作業者が手指によりブラシホルダ１３１をブラシホルダ収容部１４１に保持する作業が不要となり、ブラシホルダ１３１及びリアカバー１０９の組付け作業性を向上することができる。
【００２９】
なお、本実施の形態では、電動工具の一例として電動ディスクグラインダ１０１を用いて説明したが、リアハウジング１０６の後端部に、スイッチ配線機構部１５１のようにブラシホルダ１３１の、リアハウジング１０６後方から前方に向う装着方式の妨げとなる部材が存在する構成の電動工具であれば、適用可能である。
【図面の簡単な説明】
【００３０】
【図１】本発明の実施形態に係る電動ディスクグラインダの全体構成を示す外観図である。
【図２】電動ディスクグラインダの全体構成を示す断面図である。
【図３】電動ディスクグラインダの全体構成を示す分解断面図である。
【図４】図２のＡ部拡大図である。
【図５】図３のＢ部拡大図である。
【図６】リアカバーを示す斜視図である。
【図７】ブラシホルダの構成を示す斜視図である。
【図８】同じくブラシホルダの構成を示す斜視図である。
【図９】同じくブラシホルダの構成を示す側面図である。
【図１０】ブラシホルダが差し込まれる前のブラシホルダ収容部を示す斜視図である。
【図１１】図１０のＣ部拡大図である。
【図１２】ブラシホルダ収容部にブラシホルダが差し込まれる過程を示す図である。
【図１３】図１２のＤ矢視図である。
【図１４】ブラシホルダ収容部にブラシホルダが差し込まれた状態を示す図である。
【図１５】図１４のＥ矢視図である。
【符号の説明】
【００３１】
１０１  電動ディスクグラインダ（電動工具）
１０３  本体部（工具ハウジング）
１０５  モータハウジング
１０５ａ  取付ネジ
１０６  リアハウジング
１０７  ギアハウジング
１０９  リアカバー（カバー）
１０９ａ  筒孔内壁面
１１１  動力伝達機構
１１３  小ベベルギア
１１５  大ベベルギア
１１７  スピンドル
１１９  砥石（先端工具）
１２１  駆動モータ（モータ）
１２３  出力軸
１２４  冷却ファン
１２５  電機子
１２６  軸受
１２７  固定子
１２８  軸受
１２９  整流子
１３１  ブラシホルダ
１３２  筒部
１３３  ブラシ
１３４  渦巻きバネ
１３５ａ，１３５ｂ  差込片
１３７  突部
１３９  突片（被押圧部）
１４１  ブラシホルダ収容部（ブラシホルダ収容空間）
１４１ａ  開口
１４２ａ，１４２ｂ  スリット
１４３  板状部
１４４  凹部
１４５  リブ（突条部）
１４７  止着ネジ
１５１  スイッチ配線機構部
１５３  スイッチブロック
１５５  操作レバー
【図１】
0005191726.tif 000002
【図２】
0005191726.tif 000003
【図３】
0005191726.tif 000004
【図４】
0005191726.tif 000005
【図５】
0005191726.tif 000006
【図６】
0005191726.tif 000007
【図７】
0005191726.tif 000008
【図８】
0005191726.tif 000009
【図９】
0005191726.tif 000010
【図１０】
0005191726.tif 000011
【図１１】
0005191726.tif 000012
【図１２】
0005191726.tif 000013
【図１３】
0005191726.tif 000014
【図１４】
0005191726.tif 000015
【図１５】
0005191726.tif 000016